(57)【特許請求の範囲】
【請求項１】
被写体を撮像して画像を生成する撮像処理を実行する撮像手段と、
前記画像のレイアウト情報を含むアルバムデータを記憶する記憶手段と、
前記撮像処理の実行を指示するシャッターボタンを、前記記憶されたアルバムデータ毎に表示する表示手段と、
前記撮像手段は前記表示されたシャッターボタンのうち少なくとも１つが押下されると前記撮像処理を実行し、前記撮像処理により生成された画像を前記押下されたシャッターボタンと対応するアルバムデータに関連付けて保存する保存手段とを備えたことを特徴とする撮像装置。
【請求項２】
前記撮像手段が撮像処理を実行した後、前記撮像処理により生成された画像とともに、前記アルバムデータと対応する挿入ボタンを表示するプレビュー表示手段をさらに備え、
前記保存手段は、前記表示され、押下された挿入ボタンと対応するアルバムデータと対応するアルバムデータに関連付けて、前記プレビュー表示手段により表示された画像を保存することを特徴とする請求項１に記載の撮像装置。
【請求項３】
前記表示手段は、編集可能な状態のアルバムデータと対応するシャッターボタンを表示することを特徴とする請求項１または２に記載の撮像装置。
【請求項４】
前記表示手段は、さらに前記アルバムデータ毎に関連付けが可能な画像の残り枚数を表示することを特徴とする請求項１乃至３のいずれか１項に記載の撮像装置。
【請求項５】
被写体を撮像して画像を生成する撮像処理を実行する撮像ステップと、
前記画像のレイアウト情報を含むアルバムデータを記憶するステップと、
前記撮像処理の実行を指示するシャッターボタンを、前記記憶されたアルバムデータ毎に表示するステップと、
前記表示されたシャッターボタンのうち少なくとも１つが押下されると前記撮像処理を実行するステップと、
前記撮像処理により生成された画像を前記押下されたシャッターボタンと対応するアルバムデータに関連付けて保存するステップとを備えたことを特徴とする制御方法。
【請求項６】
コンピュータに、
被写体を撮像して画像を生成する撮像処理を実行する撮像ステップと、
前記画像のレイアウト情報を含むアルバムデータを記憶するステップと、
前記撮像処理の実行を指示するシャッターボタンを、前記記憶されたアルバムデータ毎に表示するステップと、
前記表示されたシャッターボタンのうち少なくとも１つが押下されると前記撮像処理を実行するステップと、
前記撮像処理により生成された画像を前記押下されたシャッターボタンと対応するアルバムデータに関連付けて保存するステップとを実行させることを特徴とするプログラム。
【発明の詳細な説明】
【技術分野】
【０００１】
本発明は、撮像処理を行うのと並行して電子アルバムを編集することが可能な撮像装置およびその制御方法およびプログラムに関する。
【背景技術】
【０００２】
従来、被写体を撮影して画像を記録する際に、その画像の電子アルバム上での配置を確認して電子アルバムを編集することが提案されている（特許文献１参照）。
【先行技術文献】
【特許文献】
【０００３】
【特許文献１】特開２００８−１７２３８号公報
【発明の概要】
【発明が解決しようとする課題】
【０００４】
特許文献１では１つの電子アルバムを編集することしかできなかったが、撮影者は、共通の画像を用いて複数種類の電子アルバムを編集したいという要望がある。
【課題を解決するための手段】
【０００５】
上記の課題を解決するために本発明は、撮像装置であって、被写体を撮像して画像を生成する撮像処理を実行する撮像手段と、前記画像のレイアウト情報を含むアルバムデータを記憶する記憶手段と、前記撮像処理の実行を指示するシャッターボタンを、前記記憶されたアルバムデータ毎に表示する表示手段と、前記撮像手段は前記表示されたシャッターボタンのうち少なくとも１つが押下されと前記撮像処理を実行し、前記撮像処理により生成された画像を前記押下されたシャッターボタンと対応するアルバムデータに関連付けて保存する保存手段とを備えたことを特徴とする。
【発明の効果】
【０００６】
本発明によれば、撮影者は簡単な操作で、画像の撮像処理を行いながら、共通の画像を用いて複数種類の電子アルバムを編集できるという効果が得られる。
【図面の簡単な説明】
【０００７】
【図１】本発明の一実施例に係るデジタルカメラの構成を示すブロック図である。
【図２】本発明の一実施例に係るデジタルカメラの動作の手順を示すフローチャート図である。
【図３】本発明の一実施例に係るデジタルカメラの背面の表示部に表示される画面を示す図である。
【図４】本発明の一実施例に係るデジタルカメラの背面の表示部に表示される画面を示す図である。
【図５】本発明の一実施例に係るデジタルカメラの動作の手順を示すフローチャート図である。
【図６】本発明の一実施例に係るアルバムデータの構造を示す図である。
【図７】本発明の一実施例に係るデジタルカメラの動作の手順を示すフローチャート図である。
【図８】本発明の一実施例に係るデジタルカメラの動作の手順を示すフローチャート図である。
【図９】本発明の一実施例に係るデジタルカメラの背面の表示部に表示される画面を示す図である。
【発明を実施するための形態】
【０００８】
以下に、図面を参照して、この発明の好適な実施の形態を例示的に詳しく説明する。ただし、この実施形態に記載されている構成要素はあくまで例示であり、この発明の範囲をそれらのみに限定する趣旨のものではない。
【０００９】
（第１の実施例）
本実施例におけるデジタルカメラの内部構成を図１のブロック図を参照して説明する。制御部１０１はデジタルカメラ１００の全体の制御を行い、例えばＣＰＵで構成される。メモリ１０２は、主に制御部１０１が実行するプログラム格納領域、プログラム実行中のワーク領域、後述する表示部１０５に表示する画面データの格納領域等、様々なデータの格納領域として使用される。記憶部１０３は、例えばフラッシュメモリ、ハードディスク等で構成され、撮像された画像、アルバムデータ等を格納するために使用される。撮像部１０４は、被写体を撮影して取得したアナログ信号をデジタルデータに変換し、ＡＤＣＴ（適応離散コサイン変換）等によりデータの圧縮処理を行う。また、撮像部１０４は、ズーム、フォーカス、絞り調整などの制御も行う。表示部１０５はタッチパネルであり、例えば液晶ディスプレイや有機ＥＬディスプレイ等による映像表示と、撮影者の指などの接触を検知し、操作内容を制御部１０１に通知する操作入力の機能を備える。操作部１０６は、例えばボタン、十字キー、ダイヤル等で構成され、撮影者による操作内容を制御部１０１に通知する。なお、デジタルカメラ１００は、他に外部機器との通信を行うための通信部、音声データを出力するための音声出力部を備えるなど、他のモジュールを備えてもよい。
【００１０】
本実施例のデジタルカメラ１００における撮像処理および電子アルバム編集処理の動作の手順を図２のフローチャート図を参照して説明する。なお、以下の動作はデジタルカメラ１００の制御部１０１が、メモリ１０２に記憶されたプログラムを読み出し、それにしたがって他のモジュールを制御することにより実現される。
【００１１】
まず、制御部１０１はシャッターボタン表示処理を行う（Ｓ２００）。Ｓ２０１において、制御部１０１は記憶部１０３を参照し、現在、編集可能なアルバムデータが存在するかどうかを判定する。そして、編集可能なアルバムデータ毎にアルバムシャッターボタンを生成し、表示部１０５に表示する。編集可能なアルバムデータが存在しない場合は、図３（ａ）に示すように通常のシャッターボタン３０２を表示する。編集可能なアルバムデータが１つ存在した場合、図３（ｂ）に示すように１つのアルバムシャッターボタン３１０を表示する。編集可能なアルバムデータが３つ存在した場合は図３（ｃ）に示すようにアルバムシャッターボタン３つのシャッターボタン３２０を表示する。なお、図３（ｂ）や図３（ｃ）はアルバムシャッターボタンだけを表示しているが、通常のシャッターボタンも表示するようにしてもよい。
【００１２】
次に、制御部１０１は表示部１０５に対して、アルバム設定ボタン、画質設定ボタン、メモリカード設定ボタン、閲覧ボタンの表示を行う（Ｓ２０１）。また、制御部１０１は、ライブビューエリア３０１に撮像部１０４から得られるライブビュー映像を表示する（Ｓ２０２）。そして、制御部１０１は、操作部１０６からボタン押下の通知があるかどうか判定する（Ｓ２０３）。
【００１３】
ステップＳ２０３でボタン押下の通知があり、押下されたボタンがアルバム設定ボタン３０４であった場合、制御部１０１はアルバム設定ボタン押下処理を実行する（Ｓ２０４）。シャッターボタン３０２或いはアルバムシャッターボタン３１０、３２０であった場合は、シャッターボタン押下処理を実行する（Ｓ２０５）。また、画質設定ボタン３０５であった場合は、画像設定処理を実行し（Ｓ２０６）、撮像画像のサイズや露出の設定を行う。メモリカード設定ボタン３０６であった場合は、メモリカード設定処理を実行し（Ｓ２０７）、メモリカードの初期化、残容量の確認などを行う。また、画像閲覧ボタン３０３であった場合は、画像閲覧ボタン押下処理を実行し（Ｓ２０８）、選択されたアルバムに関連付けて保存された画像をレイアウトして表示する。
【００１４】
次に、ステップＳ２０４のアルバム設定ボタン押下処理を図５のフローチャートを参照して説明する。まず、制御部１０１は図４（ａ）のアルバム設定メニュー４０１の中から選択されたサブメニューの項目４０２を判定する（Ｓ５００）。
【００１５】
ステップＳ５００の判定の結果、新規作成が選択されたと判定した場合は、制御部１０１は図４（ｂ）に示すようなアルバム新規作成画面４２０を表示部１０５に表示し（Ｓ５０１）、撮影者に新しいアルバムデータのアルバム名４２１と画像枚数４２２を入力させる。その後、制御部１０１は操作部１０６からＯＫボタン４２３の押下の通知があったかどうか判定し（Ｓ５０２）、通知があれば、撮影者により入力されたアルバムデータのアルバム名４２１と画像枚数４２２を含む図６（ａ）のアルバムデータを作成する（Ｓ５０３）。アルバムデータには、アルバムの編集状態を示すステータス、アルバムのタイトルを示すアルバム名、画像の挿入位置や挿入枠の大きさを示すレイアウト情報が含まれる。そして、新たに作成されたアルバムデータと対応するアルバムシャッターボタンを表示部１０５に表示する（Ｓ５０４）。
【００１６】
また、ステップＳ５００の判定の結果、完了処理が選択されたと判定した場合は、制御部１０１は図４（ｃ）に示すようなアルバム完了処理画面４３０を表示し（Ｓ５１１）、撮影者に完了処理の対象となるアルバムデータを選択させる。その後、制御部１０１は操作部１０６からＯＫボタン４３３の押下の通知があったかどうか判定し（Ｓ５１２）、通知があれば、撮影者により指定されたアルバムデータに対して完了処理を行う。具体的には、図６（ａ）のアルバムデータのステータス６００の「編集可能」を図６（ｂ）のアルバムデータのステータス６１０の「完了済み」に変更する（Ｓ５１３）。ステータスが「完了済み」のアルバムデータは編集不可能であり、ステップＳ２００で制御部１０１は編集不可能なアルバムデータであると判定する。そして、完了処理が行われたアルバムデータに対応するアルバムシャッターボタンを表示部１０５に表示しないようにする（Ｓ５１４）。
【００１７】
また、ステップＳ５００の判定の結果、削除が選択されたと判定した場合は、制御部１０１はアルバムデータのリストを表示部１０５に表示し（Ｓ５２１）、撮影者に削除対象となるアルバムデータを選択させる。その後、制御部１０１は操作部１０６からＯＫボタン４４３の押下の通知があったかどうか判定し（Ｓ５２２）、通知があれば、撮影者により選択されたアルバムデータに対して削除処理を行う（Ｓ５２３）。そして、削除処理が行われたアルバムデータに対応するアルバムシャッターボタンを表示部１０５に表示しないようにする（Ｓ５２４）。
【００１８】
次に、ステップＳ２０５のシャッターボタン押下処理を図７のフローチャートを参照して説明する。まず、制御部１０１は撮像部１０４へ撮像を行うよう指令を出し、撮像部１０４より得られた画像をメモリ１０２に保存する（Ｓ７００）。制御部１０１は、メモリ１０２に保存された画像を記憶部１０３へ保存し（Ｓ７０１）、記憶部１０３に保存された画像を表示部１０５にプレビュー表示し（Ｓ７０２）、撮影者に確認させる。その後、制御部１０１は所定時間が経過したか否か判定する（Ｓ７０３）。ここで、所定時間とはプレビュー表示された撮像画像を撮影者が視認するために十分な時間であり、例えば２秒である。ステップＳ７０３で所定時間が経過したと判定されれば、制御部１０１は押下されたシャッターボタンを識別し、アルバムシャッターボタンであるか否か判定する（Ｓ７０４）。ステップＳ７０４でアルバムシャッターボタンであると識別された場合は、制御部１０１は記憶部１０３に保存された画像を保存する。そして図６（ｃ）に示すように、当該画像のファイルパスを押下されたアルバムシャッターボタンに対応するアルバムデータのレイアウトタグ６２０へ挿入して保存する（Ｓ７０５）。ステップＳ７０４で通常のシャッターボタンであると識別された場合は本処理を終了する。
【００１９】
なお、制御部１０１は、撮影者により入力されたアルバムデータの画像枚数４２２と既にアルバムデータに関連付けて保存された画像の数から、挿入可能残り枚数を算出し、アルバムデータと対応するアルバムシャッターボタンに表示するようにしてもよい。また、挿入可能残り枚数が０以下となれば、制御部１０１はアルバムシャッターボタンを表示部１０５に表示しないようにしてもよい。
【００２０】
また、本実施例ではアルバムデータのフォーマットにＸＭＬ形式を採用しているがこの限りではなく、他の形式であってもよい。
【００２１】
本実施例によれば、撮影者は撮影指示と同時に、撮影画像を挿入したいアルバムデータの指定も行うことができ、簡単に撮影画像をアルバムデータと関連付けて保存することができる。
【００２２】
（第２の実施例）
上記の第１の実施例ではシャッターボタンを押下する時に、撮像画像を挿入するアルバムデータを選択するようにしたが、本実施例では、撮像画像の撮影後に、アルバムデータを選択する場合について説明する。なお、本実施例では、第１の実施例と同様の構成については説明を省略し、本実施例に特有の構成について詳細に説明する。
【００２３】
本実施例のデジタルカメラ１００におけるシャッターボタン押下処理を図８のフローチャート図を参照して説明する。まず、ステップＳ７００〜Ｓ７０１の処理を実行した後、制御部１０１は図９に示すようなプレビュー画面９００を表示部１０５に表示する（Ｓ８０１）。プレビュー画面９００には、ステップＳ２００で編集可能と判定したアルバムデータと対応するアルバム挿入ボタン９２０が表示され、撮影者に撮影された画像を挿入するアルバムデータを選択させる。そして、制御部１０１はＯＫボタン９３０が押下されたか判定し（Ｓ８０２）、ＯＫボタン９３０が押下されれば、押下されたアルバム挿入ボタン９２０を識別する（Ｓ８０３）。制御部１０１は記憶部１０３に保存された画像を、押下されたアルバム挿入ボタンと対応するアルバムデータへ挿入する（Ｓ８０４）。具体的には、図６（ｃ）に示すように、記憶部１０３に保存された画像をアルバム挿入ボタンに対応するアルバムデータへ関連付けて保存する。なお、ＯＫボタンの押下が無い場合、制御部１０１は所定時間が経過したか否かを定期的に判定する（Ｓ８０５）。ここで、所定時間とはプレビュー表示された撮像画像を撮影者が視認するために十分な時間であり、例えば３秒である。ステップＳ８０５で所定時間が経過したと判定されれば、処理を終了する。
【００２４】
なお、本実施例ではシャッターボタンの種類の区別無く、ステップＳ８０１でアルバム挿入ボタンが表示されるようにしたが、シャッターボタンの種類を識別し、通常のシャッターボタンが押下されたときに表示するようにしてもよい。
【００２５】
また、制御部１０１は、撮影者により入力されたアルバムデータの画像枚数４２２と既にアルバムデータに関連付けて保存された画像の数から、挿入可能残り枚数を算出し、アルバムデータと対応するアルバム挿入ボタンに表示するようにしてもよい。また、挿入可能残り枚数が０以下となれば、制御部１０１はアルバム挿入ボタンを表示部１０５に表示しないようにしてもよい。
【００２６】
本実施例によれば、撮影者は撮影画像を確認した時に、撮影画像を挿入したいアルバムデータの指定も行うことができ、簡単に撮影画像をアルバムデータと関連付けて保存することができる。
【００２７】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005393416.tif 000002
【図２】
0005393416.tif 000003
【図３】
0005393416.tif 000004
【図４】
0005393416.tif 000005
【図５】
0005393416.tif 000006
【図６】
0005393416.tif 000007
【図７】
0005393416.tif 000008
【図８】
0005393416.tif 000009
【図９】
0005393416.tif 000010